(57)【要約】  本発明は、モーダルデイフォーマットでデータを強調して表示するための方法及び投薬装置を提供する。本発明に基づく方法は、グラフ上の１つ以上のデータ点（４３０）を選択可能にし、選択すると（選択されたデータ点に）対応する全ての点がマークされ（４４０）、日誌データが分かり易く示される。
2008505414.tif 000002
【特許請求の範囲】
【請求項１】
モーダルデイフォーマットに日誌データをグラフ表示するための方法であって、
−  ユーザが、１つ以上の日付のデータを表す、１つ以上の日誌データの１つ以上のデータ点を選択するステップ（４３０）、及び
−  選択されたデータ点の日付に対応する他の全てのデータ点（４４０）をマーキングするステップ
を特徴とする方法。
【請求項２】
日誌データが、血糖、インシュリン摂取、食事、及び運動を、全てタイムスタンプ付きで含むことを特徴とする、請求項１に記載の方法。
【請求項３】
日誌データが、血糖及びインシュリン摂取を、共にタイムスタンプ付きで含むことを特徴とする、請求項１に記載の方法。
【請求項４】
データ点のマーキングを、カラーコード化又はハイライトによって行うか、データ点を円又は星形で囲むことにより行うか、数字、ドット又は絵文字を前記データ点の表示に加えることによって行なうか、或いはデータ点を線でつなぐことによって行うことを特徴とする、請求項１ないし３のいずれか１項に記載の方法。
【請求項５】
−  選択された日付のデータ点のみを示し、他を隠すステップ
を更に含むことを特徴とする、請求項１ないし４のいずれか１項に記載の方法。
【請求項６】
モーダルデイフォーマットに日誌データをグラフ表示するための投薬装置であって、
−  １つ以上の日付のデータを表す、１つ以上の日誌データの１つ以上のデータ点をユーザが選択する手段、及び
−  選択されたデータ点の日付に対応する他の全てのデータ点をマーキングする手段
を特徴とする装置。
【請求項７】
日誌データには、血糖、インシュリン摂取、食事、及び運動が、全てタイムスタンプ付きで含まれることを特徴とする、請求項６に記載の投薬装置。
【請求項８】
日誌データには、血糖及びインシュリン摂取が、共にタイムスタンプ付きで含まれることを特徴とする、請求項６の投薬装置。
【請求項９】
データ点のマーキングが、カラーコード化又はハイライト化を含むか、データ点を円又は星形で囲むことにより行われるか、数字、ドット又は絵文字を前記データ点の表記に加えることによって行われるか、或いはデータ点を線でつなぐことによって行われることを特徴とする、請求項６ないし８のいずれか１項に記載の投薬装置。
【請求項１０】
選択された日付のデータ点のみを示し、他を隠す手段を特徴とする、請求項６ないし９のいずれか１項に記載の投薬装置。
【請求項１１】
前記手段の全部又は一部が、
−  少なくとも１つのシステムバス、
−  システムバスに接続された少なくとも１つの通信ユニット、
−  システムバスに接続された、命令の集合を含む少なくとも１つのメモリユニット、及び
−  メモリ内の命令を実行して手段を機能させる少なくとも１つの制御ユニット
を備えるコンピュータシステム上に常駐する、請求項６ないし１０のいずれか１項に記載の投薬装置。
【請求項１２】
モーダルデイフォーマットに日誌データをグラフ表示するための、コンピュータで読取り可能な記憶媒体に記憶されたコンピュータで読取り可能なプログラムコードを備えたコンピュータプログラム製品であって、
−  ユーザが、１つ以上の日付のデータを表わす１つ以上の日誌データの１つ以上のデータ点を選択できるように構成された、コンピュータで読取り可能なプログラムコード手段、及び
−  選択されたデータ点の日付に対応する他の全てのデータ点をマーキングするように構成された、コンピュータで読取り可能なプログラムコード手段
を特徴とする、コンピュータプログラム製品。
【請求項１３】
−  ユーザが、１つ以上の日付のデータを表わす血糖データの１つ以上のデータ点を選択できるように構成された、コンピュータで読取り可能なプログラムコード手段、及び
−  選択されたデータ点の日付に対応するインシュリン摂取をマーキングするように構成された、コンピュータ読取り可能プログラムコード手段
を特徴とする、請求項１２に記載のコンピュ−タプログラム製品。
【請求項１４】
データ点をマーキングするように構成されたコンピュータで読取り可能なプログラムコード手段が、カラーコード化又はハイライトのためのコンピュータで読取り可能なプログラムコードを含むか、或いは、データ点を円又は星形で囲むか、数字、ドット又は絵文字をデータ点の表示に加えるか、又はデータ点を線でつなぐようなコンピュータで読取り可能なプログラムコードを含むことを特徴とする、請求項１２又は１３に記載のコンピュ−タプログラム製品。
【請求項１５】
選択された日付のデータ点のみを示し、他を隠すように構成されたコンピュータで読取り可能なプログラムコードを特徴とする、請求項１２ないし１４のいずれか１項に記載のコンピュ−タプログラム製品。
【発明の詳細な説明】
【発明の開示】
【０００１】
発明の分野
本発明は、モーダルデイフォーマットに日誌データをグラフ表示するための方法に関し、健康管理の分野、特に自己投薬及び治療の分野に関する。具体的には、本発明は、日誌データ表示のための自動化システムの分野に関する。
更に本発明は、前記方法を実行する投薬装置及びコンピュータプログラム製品に関する。
【０００２】
発明の背景
健康上の問題は急性と慢性に分類できる。急性疾患は、一定の期間に亘る治療により、及び投薬、手術等の助けにより解決可能な体の一時的な問題である。
他方、慢性疾患は、何らかの生理学的又は代謝性平衡の失調が原因で体に生じる問題である。これらの平衡失調は矯正が困難で、従って治療を要する。即ち、患者の寿命を延長させるための何らかの方法によってこれらの問題に対処する必要がある。従って、慢性疾患の場合、患者は定期的な薬剤療法及びその他の治療を必要とするだけでなく、自身のライフスタイル、即ち生活習慣、食事、活動パターン等のモニタリングも必要とする。
【０００３】
糖尿病はこのような慢性疾患の１つである。体内のインシュリン（糖尿病ではない患者の場合、膵臓によって適量が生成される）の欠乏の結果血糖値が上昇し、これによって喉の異常な渇き、頻尿、衰弱、及び血流中の過剰ケトン等の種々の影響がもたらされる。
血糖値を適切な値に保つため、糖尿病患者は定期的に、即ち毎日１回以上、インシュリンの一定投与量を摂取する。しかしながら、これは治療ではなく、対症療法の一部に過ぎない。糖尿病患者の健康管理プログラムは一般に、定期的な運動、食物摂取のモニタリング等の他の要素を伴う。正常な身体の挙動にできるだけ近い挙動を行えるように、食物の摂取と運動等とのバランスを維持する必要がある。
【０００４】
先進的な治療設定では、糖尿病チームが患者を支援して、糖尿病を安全且つ効果的に治療する方法を教示する。しかしながら、糖尿病の生活管理を実行するのは患者自身である。日々医療コストが増大し、生活が忙しく（医者に行く時間も取れないほど）なっていることから、焦点は今、患者がそのニーズを処理するのを助ける装置及び手段に移っている。このニーズに対し、携帯式自力投薬装置が導入された。これらの装置は使用が容易であるだけでなく、安全でもある。例えば、インシュリン注射装置（糖尿病患者用）、吸入器（喘息病患者及び糖尿病患者用）、血液試料採取装置等が広く市販されている。国際公開番号ＷＯ  ００／３２０８８、ＷＯ  ０３／００５８９１、及びＷＯ  ０３／０１５８３８は全て、このような医療装置、ネットワーク、及びそれらの操作方法について、その領域における可能性のいくつかと共に述べている。これらの公開文献の内容全体を引用により本明細書に包含する。
しかしながら、上述のように、糖尿病のような疾病は、定期的な投薬を毎日必要とするだけでなく、投薬の定期的なモニタリングと共に患者のライフスタイルの追跡も必要とする。この分かりやすい解決法として、モニタリング対象となるパラメータのログを付ける方法がある。例えば、糖尿病患者は、食物、投薬、血糖値、運動等を含むパラメータを日誌で追跡することができる。私達個人の生活圏にコンピュータが出現する前は、これらの記録又は日誌は人の手で維持され、その後ニーズに応じて分析されていた。
【０００５】
コンピュータ及び先進的なソフトウェアパッケージ（特に糖尿病患者のために作られたもの）の導入により、データ入力だけでなく、種々のフォーマットでレポートを見、そして記録された事実及び図をユーザが簡単に研究及び分析するのに便利なインタフェースが提供されて生活が楽になった。このようなデータ収集及びレポートは、患者が自身の改善をモニタリングするのに有用であるだけでなく、それによって医師又は他の医療担当者が（日誌から）その患者の行動を理解し、その後治療の改善を行うか又は単に助言を与えることができる。
また、コンピュータの使用により、棒グラフ、円グラフ、折れ線グラフ等のグラフフォーマットの形態でデータを図にすることが可能になった。これらの視覚的な表現ははるかに理解し易い。個人的管理に用いられるこのような種類の糖尿病日誌ソフトウェアは、従来技術に既知である。例えば、移動式ＤＩＡＢＡＳＳによって糖尿病データを完全に管理することができ、このソフトウェアはパームトップコンピュータ上で操作できる。
【０００６】
これらのソフトウェアソリューションの一部は、先進的投薬装置と対話／交信し、これらの装置に記憶されたデータをダウンロードすることもできる。前述の国際公開において説明されているように、これらの先進的装置は、投与された薬剤の量、投与の日時等の情報を記憶することに加え、患者の利便性のためにリマインダシステムを有することができる。これらの装置間の通信が行われる際に、記憶された全てのデータをコンピュータ装置（ソフトウェアを実行するコンピュータ装置）にダウンロードし、このデータを（データ自体又はユーザが入力した追加データと共に）用いてレポートを生成することができる。例えば、ＭｉｎｉＭｅｄソリューションズＭＭＴ−７３１１は、インシュリン注射ポンプからデータを取得し、ＰＣに記憶させることができる先進的ソフトウェアの１つであり、このＰＣは次いで種々のレポートにデータを表示することができる。別の例は、ヘルスマネジャーとして機能して、食事、運動、及び個人的生活のその他の面の計画を助けることができるＰｒｏａｃｔｉｖｅ  Ｍｅｔａｂｏｌｉｃｓ社のソフトウェアである。
これらのソフトウェア全ての中心的目標は、コンピュータ装置に記憶されているデータから、情報を最大限且つ有意義に抽出することである。このような有用な種類のレポート／グラフの１つは、モーダルデイレポートの表示である。この種類の表示では、複数日に亘るデータが日時に対応して表示され、よって多数の日が重ねられて表示されるので、データにパターンを見出すことが可能になる。
【０００７】
モーダルデイ方式のビューは、次のような複数の種類の日誌データを表示できる。
１．血糖（濃度、ｍｍｏｌ／ｌ）
２．インシュリン注射（ＩＵ、国際ユニット）
３．食事（糖の量／食事の量）
４．運動（強度及び継続時間）
このような日々の傾向を描画することは、患者の日々の活動に対する糖の制御を助ける。
モーダルデイにおいて、ユーザ（患者／分析者／医師）は、期間の範囲、即ち日、週、月、四半期、年等を選択できる。目標範囲／所望の範囲を決定することができ、データ点の分析を、これらの点を考慮しながら行うことができる。このソフトウェアは、統計的集約レポートも生成できる。
【０００８】
しかしながら、既存の解決法の欠点は、グラフ上の点を特定しないこと、即ちスペース上の制約から読取値の日付がグラフに表示されないことである。グラフに何らかの急増又はその他の異常な点が検出された場合、同じ日／期間の対応するデータ点を特定できることが望ましい。現在のソフトウェアソリューションはこの問題に配慮していない。
従来技術の欠点を克服して前記問題を解決するため、本発明は一つの方法を提供し、更にはこの方法を実行できる投薬装置及びコンピュータプログラム製品を提供する。本方法は、
−  ユーザが、１つ以上の日付のデータを表す１つ以上の日誌データの１つ以上のデータ点を選択するステップ、及び
−  選択されたデータ点の日付に対応させて他の全てのデータ点をマーキングするステップ
を含む。
【０００９】
このようにして、本発明は、所望のデータ点をグラフ上で選択することが可能な、日誌データをグラフ表示する方法と投薬装置を提供する。本発明はまた、選択されたデータ点並びにこれら選択されたデータ点に対応するデータ点の自動的マーキングを提供する。
日誌データのマーキングにより、関連点、即ち対応する他のデータ点が特定されることが利点である。
【００１０】
このように、本発明は、データの傾向分析のために過去の日誌データを集約して視覚的に表示する方法である。他の人たちと同様に、糖尿病を持つ個人は、非常にきつい２４時間の行動サイクル（本発明を理解するための前提条件及び背景として後述する）及び週間サイクルを有する。本発明の視点は、データ情報のみを用いて１日の時刻によりデータを整列させ、表示するデータ範囲を選択することである。従ってこれは、良い悪いに関係なく、食事とインシュリン摂取に関する習慣、並びに血糖値の測定結果と共に運動に関する習慣を捉えて視覚化する強力なツールである。
本発明は、数日分の血糖、インシュリン、及び食物データのグラフ表示を提供する。加えて、行った運動を考慮に入れることができる。データは、デイビュー（２４時間）又はウィークビュー（１週間）に重ねて表示される。
この場合、本発明の数学的複雑性は非常に小さい。本発明は、投薬装置で又はＰＣアプリケーションとして実行できる。一実施例として、投薬装置からのデータをＰＣに転送し、分析及びその後の表示を行うことができる。
【００１１】
本発明のモーダルデイ画面を使用して、データの傾向分析を行うことができる。これを説明するため、血糖測定を用いた患者のシナリオを考える。
ユーザは金曜日の朝に軽いめまいを感じ、多分先週の金曜日にも同じことがあったと認識する。患者はモーダルデイ画面を開き、最近５回の金曜日の血糖測定値（ＢＧＭ）を表示するように設定する。モーダルデイ画面から、金曜日の朝はいつも（又は少なくとも最近５回の金曜日は）血糖が低いことが明らかとなる。このことから、患者は、血糖に影響する何かが木曜日に起こっていると考え、やはり週１回のフットボール練習が木曜日の終業後にあり、通常これを第３ハーフで終えた後に仲間とビールを何杯か飲むことになるのだが、このとき大抵はビールに見合う炭水化物を摂取することがないということに思い当たる。従って、患者はそれを調整する必要があるかもしれない。
【００１２】
ユーザは、四半期に一度の検診に行き、医療関係者（ＨＣＰ）がＨｂＡ１ｃの上昇を発見する。ＨＣＰは薬剤投与装置をモーダルデイビューに切り替え、ＨｂＡ１ｃの上昇が全般的な高血糖値を原因としているのか又はその日のどこかに問題があるかどうかを見る。いずれの場合も、モーダルデイ方式によって全体像を把握し易くなることにより、治療を調整することができる。
ユーザは、糖尿病空間で迷子になったように感じることがある。即ち、日々の作業の雑音に加えて、データ収集と手作業による分析が患者にストレスを与える。従って、問題にその場で対処し、且つ全体像を見失うのを防ぐ必要がある。問題の解決法は、モーダルデイ機能を用いて自動的にデータ収集を行い、選択した複数の日をグラフに重ねて示すことである。特性パターンによって、「昼は高血糖の傾向」、「夜は低血糖の傾向」、「日曜日には傾向が見出せない」及び「朝は結果が悪い」等が示され、これによってユーザは大局的計画を立てることが可能になる。
【００１３】
本発明を理解するための前提条件及び背景として、糖尿病患者は１日に次のような重要な行動を取る。
６：３０  −  目覚まし時計により起床
＊＊＊＊６：３５  −  短時間作用型インシュリンの注射又は吸入
これらのデータ、即ちインシュリンの量及び種類（例えば濃度）等が自動的に記憶される。
単純な投薬装置では、データは手作業でモーダルデイに入力する。
６：４０  −  シャワー
＊＊＊＊６：５０  −  朝食
７：１５  −  出勤のため家を出る
＊＊＊＊９：３０  −  会合で軽食を摂る
＊＊＊＊１１：４５  −  血糖検査
ＢＧ、即ち血糖の読取値を検査するとき、情報はモーダルデイ（プログラム）に自動的に記憶されるか、又は手作業で入力する。
＊＊＊＊１１：４７  −  短時間作用型インシュリンの注射又は吸入
これらのデータ、即ちインシュリンの量及び種類等が、自動的に記憶される。
単純な投薬装置では、データは手作業でモーダルデイに入力される。
＊＊＊＊１２：１５  −  昼食
＊＊＊＊１４：５０  −  血糖検査
この血糖データ点は、モーダルデイに自動的に記憶されるか又は手作業で記憶させる。
＊＊＊＊１５：００  −  午後の軽食  −  果物
＊＊＊＊１５：１０  −  血糖検査
この血糖データ点は、モーダルデイに自動的に記憶されるか又は手作業で記憶させる。
＊＊＊＊１５：１５  −  短時間作用型インシュリン
これらのデータ、即ちインシュリンの量及び種類等は、モーダルデイに自動的に記憶されるか又は手作業で記憶させる。
１６：００  −  退社
＊＊＊＊１６：２０  −  フィットネスクラブで運動
＊＊＊＊１７：２５  −  血糖検査
この情報、即ち血糖値は、モーダルデイに自動的に記憶されるか又は手作業で入力する。
＊＊＊＊１７：３０  −  果物
＊＊＊＊１８：３０  −  血糖検査
血糖値は、モーダルデイに自動的に記憶されるか又は手作業で入力する。
＊＊＊＊１８：３５  −  短時間作用型インシュリンの注射又は吸入
再び、これらのデータ、即ちインシュリンの量及び種類（短時間作用型）等が、モーダルデイに、自動的に記憶されるか又は手作業で記憶させる。
＊＊＊＊１９：００  −  夕食
＊＊＊＊２０：３０  −  コーヒー
＊＊＊＊２３：３０  −  血糖検査
この情報は、モーダルデイに、自動的に記憶されるか、又は手作業で入力する。
＊＊＊＊２３：３５  −  就寝前の長時間作用型のインシュリンの注射又は吸入
再び、これらのデータ、即ちインシュリンの量及び種類（長時間作用型）等が、モーダルデイに自動的に記憶されるか又は手作業で記憶させる。
【００１４】
血糖値と摂取インシュリンの両方について、対応するタイムスタンプ（年、月、日、時、分）がデータ点と共に記憶される。加えて、同じことが運動並びに食事又は摂取した他の食物及び飲料について適用される。
「＊＊＊＊」でマークした項目は、モーダルデイ方式の使用に先立つ関心項目であり、モーダルデイの基礎データベースに何らかの方法で入力され、本発明により前記投薬装置からアクセスして使用することができる。
上記のように「＊＊＊＊」でマークしたデータ、及び一般に複数日（日付）に亘るデータは、ユーザの日誌データから成る。
【００１５】
後述で詳細に述べるように、それぞれタイムスタンプを有する血糖データ及びインシュリン摂取データは、日誌データとしてモーダルデイフォーマットに入力される。よって、日誌データに含まれる１つ以上のインシュリン摂取データには、関連するタイムスタンプを有する同じ日付の１つ以上の関連血糖測定値が対応している。更に、日誌データは食事及び運動を含むことができる。
或いは、これとは逆に、１つ以上の関連血糖測定値を、対応する１つ以上のインシュリン摂取データと共に、関連するタイムスタンプを付けてモーダルデイフォーマットに入力する。
【００１６】
いずれにせよ、前記投薬装置で本発明を実行するために、前記データが取得可能であることが前提条件である。
投薬装置は、種々の濃度のインシュリンを注射するための投与器とすることができ、表示能力を備えた電子注射器のような、単純な形態のものでよい。例えば、ＵＳ６５４０６７２、ＷＯ００３２２５８、ＷＯ０１９１８３３、及びＷＯ２００３００５８９１は全て、インテリジェントな投薬装置を開示している（参照によりそれらの内容全体をここに包含する）。
【００１７】
本発明は、本技術分野で一般的に既知であるように、種々の濃度でインシュリンを注入することもできる、ポンプ形状の投薬装置で実行することもできる。或いは、投薬装置は吸入装置でもよい。患者の肺に液体エアゾール又は乾燥エアゾール粉末を入れるのを助ける種々の吸入器が存在する。例えば、米国特許第５８８８４７７号（参照により内容全体をここに包含する）には、インシュリン送達に使用できる頑丈な吸入器が開示されている。Ｓｍｉｔｈ他を発明者とする米国特許第５７８５０４９号（参照により内容全体をここに包含する）には、粉末薬剤の送達に適する装置が開示されている。
【実施例】
【００１８】
図面の詳細な説明
前述のように、モーダルデイ式の描画は、選択された時間範囲（日、週、月、四半期、及び年）に亘って１日の時刻によりデータ読取値を示す。データ点の分布は、データの全般的パターンを表す。偏りがあれば視覚的に容易に発見できる。
このような２つの単純なグラフを図１に示す。図１（ａ）は、２００２年２月８日から２００２年５月１８日までの期間の血糖の読取値（ｍｍｏｌ／ｌ）を表すデータ点の分布を示す。これらのデータ点は、２時間間隔で１日の時刻を表すＸ軸に対して描かれている。同様に、図１（ｂ）はインシュリン摂取量を描画したものである。
【００１９】
望ましくは、異常なデータ点又は単に興味深いデータ点からなる１つ以上の組を選択すると、同日の他の対応するデータ点が自動的に強調されることにより、患者がこれらの特別なデータ関係を把握することができる。例えば、ある特定の曜日（例えば日曜日）に血糖値がいつもより高いこと、又は月曜にあまり運動しないこと等を発見することができる。
【００２０】
本発明は、このように実態の把握を可能にする機能をモーダルデイグラフに組み込む方法及び投薬装置を提供する。このようなコンピュータで実施される方法は、あらゆる汎用コンピュータ装置／コンピュータシステム上で、例えば、前述したような又は図２に内部構造が示されるような投薬装置で実行することができる。本コンピュータシステム（３１０）又は投薬装置は、システムバス（３２０）によって相互接続された種々のサブシステムから構成される。マイクロプロセッサ（３３０）が通信及び他のサブシステムの機能の制御を行う。メモリ（３４０）は、マイクロプロセッサの実行中、命令及びデータを記憶することによりマイクロプロセッサの機能を助ける。一実施例として、マイクロプロセッサは、１つ以上の日付に関連する１つ以上のデータ点を選択する入力を（キーボード（３９２）及び／又はマウス（３９４から））受け取り、次いでマイクロプロセッサを用いて、（例えば、メモリ（３４０）の検索により）対応するデータ点を計算し、これら対応するデータ点をマーキングして、その後ディスプレイ、モニタ、スクリーン等の表示装置に表示する。固定ディスクドライブ（３５０）を用いて、データ（例えば種々のデータ点）、並びにオペレーティングシステム及び他のプログラムのような恒常的性質を有する命令を保持する。ディスプレイアダプタ（３６０）は、システムバスと、モニタ又はディスプレイである表示装置（３７０）との間のインタフェースとして用いられる。ネットワークインタフェース（３８０）を用いて、有線又は無線手段を介してコンピュータとネットワーク上の他のコンピュータとを接続する。ネットワーク上のこれらの装置も投薬装置であってもよい。通信手段は有線でも無線でもよく、例えばＴＣＰ／ＩＰ、ＳＳＬ等の種々の通信プロトコルを用いるケーブル、ＲＳ２３２、ブルートゥース、赤外線等とすることができる。コンピュータシステム又は投薬装置はまた、サウンドカード（３９０）を含むことができる。システム又は投薬装置は、キーボード（３９２）及びマウス（３９４）といった種々の入力装置並びにプリンタ（３９６）等の出力装置に接続される。これらのサブシステムには種々の構成が可能である。本発明を実施するシステムは、上述より多い又は少ない数のサブシステムを用いる場合があることにも注意されたい。
図示しないが、投薬装置は更に、選択された種々の濃度でインシュリンを注射する手段を備えることができる。この手段には、インシュリン注入能力を有するモータ又はポンプ機能を設けることができる。或いは、投薬装置が吸入装置の場合には、投薬装置は糖尿病患者の肺内に液体エアゾール又は乾燥エアゾール粉末を供給する手段を備えることができる。しかしながら、投薬装置は、必ずしもインシュリンの供給に用いなくてもよく、本発明に従ってデータ点の選択及びマーキングに主に用いることができる。
【００２１】
投薬装置とコンピュータシステムの間の構成がどのようなものであっても、本発明は実行可能である。即ち、本発明は、投薬装置及びコンピュータシステムのいずれにも常駐できるか、或いはこれら２つの間に分散することができる。即ち、本発明は、データをこれら２つの間で転送し、これらの一方又は両方でデータ表示を行うことができる。しかし同時に、本発明は、効率的な患者−医師−親族−ピアのネットワークを確立する必要に応じて、他の電子装置に拡張及びカスタマイズすることができる。例えば、コンピュータシステム及び／又は投薬装置は、ローカルエリアネットワーク又はインターネットに定期的にログオンしてユーザの読取値（データ点）を遠隔データベースサーバに送信することができ、このサーバを用いて医師、患者の親族等のコンピュータシステム等の異なるコンピュータシステムからレポートを生成することができる。これらのコンピュータ装置は汎用のデスクトップ型とすることができるか、又はラップトップ型、携帯電話、ＰＤＡ等他の形式のものでもよい。
本方法は、上記のコンピュータ装置又は投薬装置に、それが実行するソフトウェアの命令によって組み込まれる。この場合も、ソフトウェアは、本発明による方法のステップを実行する１つ以上のモジュールとして実施できる。
【００２２】
特に、ソフトウェアは、記憶装置を含むコンピュータで読取り可能な媒体に記憶させることができるか、或いはインターネット又は別のネットワーク所在地やサイトのインタフェース及び通信チャネルを介して遠隔地からダウンロードすることができる。コンピュータシステム又は投薬装置は、ソフトウェア又はプログラムコードを記録したコンピュータで読取り可能な媒体を含み、よってソフトウェア又はプログラムコードの命令を実行することができる。
上記のコンピュータシステム及び／又は投薬装置は、例示を目的として提示したものであり、本発明の範囲及び精神から逸脱することなく、別の構成を利用することができる。上記は本発明の実施形態を実行できるコンピュータ、投薬装置、又はコンピュータシステムの種類の単なる一例である。典型的に、本実施形態のプロセスは、コンピュータで読取り可能な媒体としてハードディスクドライブ上に記録され、読み取られ、制御モジュールを用いて制御される、ソフトウェア又はコンピュータで読取り可能なプログラムコードとして常駐する。プログラムコード、及びエンティティ、チケット等を含むあらゆるデータの中間的な記憶は、メモリを用いて、場合によっては記憶装置と併せて実行される。
【００２３】
場合によっては、プログラムはＣＤ−ＲＯＭ又はフロッピーディスク（両方共、一般に記憶装置と称する）上に符号化されて提供されるか、又はコンピュータに接続されたモデム装置を介してネットワークから読み込まれる。更に、コンピュータシステムは他のコンピュータで読取り可能な媒体からソフトウェアをロードできる。これには、磁気テープ、ＲＯＭ又は集積回路、光磁気ディスク、コンピュータと他のデバイスとの間の無線又は赤外線通信チャネル、ＰＣＭＣＩＡカードのようなコンピュータで読取り可能なカード、並びに電子メール通信及びインターネットサイト等に記録されている情報を含むインターネット及びイントラネットが含まれる。これらは関連するコンピュータで読取り可能な媒体の単なる例示である。他のコンピュータで読取り可能な媒体も、本発明の範囲及び精神から逸脱することなく実行できる。
実行のステップは、１つのコンピュータシステムにおける集中方式で実現することも、又は相互接続された投薬装置等の相互接続された複数のコンピュータシステムに異なる要素が分散される、分散方式で実現することもできる。本明細書において、コンピュータプログラム手段又はコンピュータプログラムは、情報処理能力を有するシステムが、直接に、或いはａ）別の言語、コード、又は記号法への変換、及び／又はｂ）異なる材料形式での再生成の後で、特定の機能を実行させることを意図した、あらゆる言語、コード、又は記号法での命令群の表現を意味する。
【００２４】
本発明は、既存のモーダルグラフ（血糖、インシュリン摂取、運動、食事等のデータを表示する）を増強する方法である。グラフは、点グラフ、棒グラフ、折れ線グラフ等の形式とすることができる。本発明に基づき、ユーザは、モーダルデイ画面上の１つ以上のデータ点を選択できる。この選択は、好ましくは、マウス、トラックボール等のポインティングデバイスを用いて行うが、同様の選択のために他の装置を用いることもできる。選択が行われると、それらのデータ点はマーキングされ、例えば（他のデータ点とは）異なる色で強調表示され、選択されたデータ点に対応する全てのデータ点もマーキングされる。これにより、ユーザは、その日の読取値を一見して把握することができる。別の構成として、又は強調表示に加えて、円形、星型、数字、ドット、小さな絵文字、点滅するデータ点等、又は他の手段を用いて、関心対象のデータ点を示してもよい。例えば、データ点を表示する間に、データ点を円形又は星型で囲む、或いは数字、ドット、又は絵文字を付す。更に、図５に示すように、選択された同じデータ点に関連するデータ点を線でつないでもよい。
本明細書を通して、用語「マーキング」は上記に説明したように用いる。
【００２５】
図３は、本発明による方法のフローチャートである。ユーザは先ず、グラフ作成の対象とするデータ種類及び期間（即ちデータ範囲）を選択する（４１０）ことによってモーダルデイグラフ生成プロセスを開始する。糖尿病の場合、このデータは、血糖読取値、インシュリン摂取、インシュリン摂取の濃度（例えば、長時間作用型のインシュリン、短時間作用型のインシュリン、又はそれらの混合）、食事、運動等とすることができる。期間は、日、四半期、月、年単位等とすることができる。選択後、モーダルデイグラフが生成され、表示される（４２０）。ユーザは、詳細に把握する必要のある１以上のデータ点を選択する（４３０）ことができる。選択後、同じ日の他のデータ点が強調表示さる（４４０）。即ち、上記と同じ種類のマーキング、又は前記代替法によるマーキングが行われる。
【００２６】
図４は、本発明を用いて得られるサンプル表示及びインタフェースの一例を示す。図４（ａ）は図１（ａ）に対応し、それらを囲むボックスをドラッグする（５１０）ことによって選択された４つのデータ点を示す。選択された４つのデータ点は、この場合、及び一般に、１つ以上の日付のデータを表す。
読取り色をマーキングに適用する場合、これらのデータ点に赤色を付け、また他の対応するデータ点に赤色を付ける。図４（ｂ）は、データ点の同様なマーキングを示す。異なるマーキングからの選択が可能であり、即ち、１つの方式又は種類のマーキングを選択されたデータ点のマーキングに適用し、別の方式又は種類のマーキングを対応するデータ点のマーキングに適用することができる。鍵となる説明によって、マーキングが何を示すかを表すことができる。
【００２７】
図示するように、２０時から２２時までの複数の血糖読取値（４つ）が選択され、同じ４つの日付の対応且つ関連するインシュリン摂取量がマーキングされる。ここでは、これら４日の各々において、２０時から２２時までの間に読み取られた血糖値が１つだけであることを前提にしている。
【００２８】
図１及び図４において、血糖値及びインシュリン摂取量がそれぞれｙ軸上に示されている。血糖値とインシュリン摂取量とを交換してもよい。このように、本発明は逆に適用することができる。即ち、ＩＵ、即ち国際ユニットでインシュリン摂取量を表すデータ点が選択されて１つ以上の日付が示され、次いで同じ日付の対応且つ関連する血糖計測値（濃度、ｍｍｏｌ／ｌ）が、本発明を実行する投薬装置により、それに対する応答としてマーキングされる。
一般に、データはモーダルデイフォーマットで示される。即ち、データはインシュリン摂取量と、それに対応する関連血糖測定値とを表すか、又は図４に示すように、逆に血糖測定値とそれに対応するインシュリン摂取量とを表す。いずれにしろ、モーダルデイフォーマットは、１つ以上のインシュリン摂取量とそれに対応する同じ日付の１つ以上の関連血糖測定値とを含むか、又はその逆を含む。
【００２９】
本発明の別の実施形態では、即ち図１及び図４では、食事とインシュリン摂取量とがそれぞれｙ軸に表される。
本発明の別の実施形態では、即ち図１及び図４では、食事と血糖値とがそれぞれｙ軸に表される。
本発明の別の実施形態では、即ち図１及び図４では、運動とインシュリン摂取量とがそれぞれｙ軸に表される。
本発明の別の実施形態では、即ち図１及び図４では、運動と血糖値とがそれぞれｙ軸に表される。
本発明の別の実施形態では、即ち図１及び図４では、食事と運動とがそれぞれｙ軸に表される。
【００３０】
代替的に又は追加的に、対応する運動関連データを適用することができ、血糖値及びインシュリン摂取量と運動とを関係付けることができる。つまり、先ず運動データ点が選択され、次いで血糖値及びインシュリン摂取量がマーキングされるか又はその逆が行われる。
代替的に又は追加的に、対応する食事関連データを適用することができ、血糖値及びインシュリン摂取量と食事とを関係付けることができる。つまり、先ず食事データ点が選択され、次いで血糖値及びインシュリン摂取量がマーキングされるか又はその逆が行われる。
【００３１】
別の実施例として、本発明により、血糖値と食事との別の関係付けが作成されて適用される。つまり、先ず食事のデータ点が選択され、次いで血糖値のデータ点がマーキングされるか又はその逆が行われる。
一実施例として、本発明により、インシュリン摂取量と運動との関係付けが作成されて適用される。つまり、先ず運動のデータ点が選択され、次いでインシュリン摂取量のデータ点がマーキングされるか又はその逆が行われる。
一実施例として、本発明により、食事と運動との関係付けが作成されて適用される。つまり、先ず運動のデータ点が選択され、次いで食事のデータ点がマーキングされるか又はその逆が行われる。
【００３２】
従って、汎用化された形態では、４つのデータ項目、即ち血糖値、インシュリン摂取、食事、及び運動のうちの１つ（或いは２つ又は３つ）から、１以上の日付の１つ以上のデータ点が選択され、その結果として、選択されたデータ点の日付の、３つまでの選択されなかったデータ項目のうちの１つ以上のデータ点が、本発明を実行する投薬装置によりマーキングされる。即ち、３つのデータ項目が選択された場合は１つのデータ項目がマーキングされ、２つのデータ項目が選択された場合は２つのデータ項目がマーキングされ、１つのデータ項目が選択された場合は３つのデータ項目がマーキングされ、マーキングされるデータ項目は全て、対応する関連データ点と共にマーキングされる。
このように、最も汎用化された形態では、図１及び図４のデータ項目１及２がそれぞれｙ軸上に示される。データ項目１は、データ項目２に応じて、血糖値、インシュリン摂取、食事、及び運動のいずれか１つとすることができる。これらは、本発明の概念を適用したまま交換可能である。即ち、本発明の概念に基づいて、１つのデータ項目、例えばデータ項目１からデータ点を選択し、次いで他のデータ項目、例えばデータ項目２から対応する関連データ点をマーキングすることができる。
【００３３】
本発明の一実施形態では、異なる日、即ち日付を、異なる色で強調表示し、強調表示の色を日付に付けるキー、即ち、説明を付けることができる。このキーは、適用されるマーキングの種類を示す。
別の実施形態では、選択された日付のデータ点だけを示し、他を隠すことができる。このようにして、異常な日、又は単に興味深い日を理想的な日と対比させることができる。例えば、血糖値が高い日又は非常に低い日を興味深い日としたり、同様にインシュリン摂取が多いか又は僅かであった日を興味深い日としたりすることができる。
【００３４】
図５は、本発明による別のグラフとして折れ線を示す。グラフに示すように、これらの線は血糖測定値を表すデータ点をつなぐものであり、全て同じ週に関連している。ここで、患者、医療担当者等は、２００２年第３２週の血糖測定値が、他の週の他のデータと比較して、平均的か、低いか、又は高いかを見ることができる。
同じ選択期間に関してデータ点を線でつなぐという同じ原理が、食事、運動、及びインシュリン摂取量にも適用できる。
【００３５】
上記の説明は、本発明に可能な種々の実施形態の一部について述べたものであり、本発明の範囲及び精神を逸脱することなくこれらに修正及び／又は変更を加えることができる。上述の実施形態は例示的なものであり、限定的なものではない。糖尿病を中心的なテーマとして本発明を説明したが、本発明は糖尿病の分野に限定されるものではない。中心的な実施例を用いたのは、明瞭性及び一貫性のためである。本発明は、一般的な健康管理を含む他の同様の応用分野（限定しない）に有用である。上記図面及びそれらの説明は、例示のみを目的としたものであり、本発明を分かりやすく説明するための例及び助けとして用いたものであって、いかなる意味でも本発明を限定するものでなく、又は特許請求の範囲において規定される本発明の本質を減ずるものではない。
【図面の簡単な説明】
【００３６】
【図１】（ａ）及び（ｂ）は、所定の期間に対する血糖及びインシュリンの例示的グラフを示す。
【図２】本発明を実行する汎用コンピュータ装置を示す。
【図３】本発明による方法のフローチャートを示す。
【図４】（ａ）及び（ｂ）は、本発明に基づいて生成されたグラフを示す。
【図５】本発明に基づく別のグラフであって、データ点を繋いだ折れ線グラフを示す。
【図１】
2008505414.tif 000003
【図２】
2008505414.tif 000004
【図３】
2008505414.tif 000005
【図４】
2008505414.tif 000006
【図５】
2008505414.tif 000007
【国際調査報告】
2008505414.tif 000008
2008505414.tif 000009
2008505414.tif 000010